(57)【要約】  【課題】携帯電話機、ＰＤＡ等の携帯端末のキー照明に好適な光の均一性に優れ、キー操作時のクリック感を損なわず、しかも薄型、低消費電力、低コストを実現できるキー照明装置を提供する。  【解決手段】回路基板１に弾性変形可能な導電性材料からなるドームスイッチ２が実装され、その上面には文字や図形が印刷された操作キー３が配置されている。また、回路基板１と操作キー３の間には、アクリル等の透明樹脂基板からなる導光板４が設けられ、その端部には光源となるＬＥＤ５が配置されている。導光板４には貫通孔６が形成されている。この貫通孔６、ドームスイッチ２を縦一列ごとに収容するように構成されている。さらに、ドームスイッチ２の位置に対応する導光板４の側面部には、ＬＥＤ５から放出された光を操作キー３へと導くための、光拡散部７が形成されている。この光拡散部７は、導光板４を厚さ方向に貫通する円柱形状を有している。【選択図】図１
2008235137.tif 000002
【特許請求の範囲】
【請求項１】
情報入力のための操作キーと、前記操作キーの押圧により動作するスイッチ素子を実装した回路基板と、前記操作キーと前記回路基板との間に配置された導光板と、前記導光板の端部に配置された光源と、を有するキー照明装置において、前記導光板に貫通孔を設けるとともに、前記貫通孔が前記光源の光路方向に少なくとも２個以上のスイッチ素子を収容する連続した長穴形状であることを特徴とするキー照明装置。
【請求項２】
前記貫通孔の側面に、前記光源から出た光を前記操作キーへと導光するための光拡散部が設けられていることを特徴とする請求項１記載のキー照明装置。
【請求項３】
前記光拡散部が、前記スイッチ素子径の５％〜７０％の大きさを有することを特徴とする請求項２記載のキー照明装置。
【請求項４】
前記光拡散部が、前記光源からの距離に応じて数を変えることを特徴とする請求項２及び３記載のキー照明装置。
【請求項５】
前記光拡散部が、前記光源からの距離に応じて大きさを変えることを特徴とする請求項２及び３記載のキー照明装置。
【請求項６】
前記光拡散部が、前記光源からの距離に応じて導光板の厚さ方向の深さを変えることを特徴とする請求項２及び３記載のキー照明装置。
【請求項７】
前記光拡散部が、円柱、円錐、多角柱、多角錐の少なくとも一つの側面の一部で構成されていることを特徴とする請求項２〜６記載のキー照明装置。
【請求項８】
前記光拡散部の周囲に、印刷、スクラッチ、凹凸、プリズムの少なくとも一つからなる反射パターンが形成されていることを特徴とする請求項２〜７記載のキー照明装置。
【請求項９】
前記導光板の表裏面及び前記導光板の、光源入射端と光拡散部出射端を除く端部に全反射ミラーが形成されていることを特徴とする請求項１〜７記載のキー照明装置。
【発明の詳細な説明】
【技術分野】
【０００１】
本発明は、携帯電話機等の入力装置として用いられている操作キーの照明装置であり、特に暗所でのキーの視認性、キー操作時のクリック感を損なうこともなく、薄型、低消費電力、低コスト化を図ることができるキー照明装置に関するものである。
【背景技術】
【０００２】
従来のキー照明装置について説明する。図９は、特開平7-58815号公報に開示されているＬＥＤ多点配置方式によるキー照明装置の断面図である。図９に示すように、従来のＬＥＤ多点配置方式によるキー照明装置６０は、回路基板６１、ドームスイッチ６２、ドームスイッチ６２を押すための突起６３ａが設けられたシリコンラバー６３、透過性の操作キー６４から構成されている。回路基板６１上の操作キー６４の間には、光源となるＬＥＤ６５が多数個配置されており、暗所では多数個配置されたＬＥＤ６５の発光がシリコンラバー６３により拡散され、操作キー６４を内部から照明している。このＬＥＤ多点配置方式によるキー照明装置６０は、操作キー６４を照明するためのＬＥＤ６５を操作キー６４近傍に多数個配置しているので、消費電力が大きくなり電池寿命に影響を与えるとともに、コストアップにつながるという問題がある。
また、図１０は、特開2001-167655号公報に開示されているＬＥＤ端部配置方式によるキー照明装置の断面図である。図１０に示すように、従来のＬＥＤ端部配置方式によるキー照明装置７０は、回路基板７１に設けられたドームスイッチ７２と操作キー７３の間に可撓性の導光板７４を介在させ、その端部に光源となるＬＥＤ７５が配置されている。端部に配置されたＬＥＤ７５の光が導光板７４の側面から入射し、操作キー７３に対応する部分に設けられたホログラム層７４ａにより回折し、操作キー７３を内部から照明している。このＬＥＤ端部配置方式によるキー照明装置７０は、導光板７４の端部にＬＥＤ７５を配置するので、ＬＥＤ７５の数が少なくてすみ、消費電力やコストを低減できる。しかし、このキー照明装置７０に使用される導光板７４は弾性率が小さく硬度が高いために操作キー７３を押したときにクリック感が損なわれる。また、導光板７４の厚さの分だけ薄型化が困難である。また、長時間の繰り返し動作により導光板７４上に設けられたホログラム層７４ａが変形し反射輝度が低下するという問題が生じる。
また、図１１（ａ）、（ｂ）は、特開2004-356028号公報に開示されている他のＬＥＤ端部配置方式によるキー照明装置の断面図及び操作キーを除いた状態の平面図である。図１１（ａ）、（ｂ）に示すように、他の従来のキー照明装置８０は、回路基板８１に設けられたドームスイッチ８２と操作キー８３の間に導光板８４を介在させ、その端部に光源となるＬＥＤ８５が配置されている。また、導光板８４には空洞部８６が形成され、その側面には、梨地処理を施した放光部８７が形成されており、ＬＥＤ８５の光が導光板８４の側面から入射し、放光部８７から出て、操作キー８３を内部から照明している。このＬＥＤ端部配置方式によるキー照明装置８０は、導光板８４の操作キー８３に対応する位置に空洞部８６を設けているので、操作キー８３を押したときにクリック感を向上でき、薄型化に好適する。
【特許文献１】特開7-58815号公報
【特許文献２】特開2001-167655号公報
【特許文献３】特開2004-356028号公報
【発明の開示】
【発明が解決しようとする課題】
【０００３】
しかしながら、上述した他の従来のＬＥＤ端面配置方式によるキー照明装置８０には、以下のような問題があった。
図１１（ｂ）に示すように、導光板８４端部に配置されたＬＥＤ８５の光は導光板８４の側面から入射し、内部で反射を繰り返しながら進み、放光部８７から出て操作キー８３を内部から照明する。このとき、ＬＥＤ８５から空洞部８６の側面に到達した光は放光部８７のみならず、側面部８４ａ〜８４ｄ全体からも漏れ光となって放出される。この漏れ光があると、ＬＥＤ８５に近い操作キー８３ａは明るく照明されるが、ＬＥＤ８５から遠い操作キー８３ｂは暗くなる。このように、複数の操作キー８３ａ、８３ｂに明るさのばらつきが生じると、キー照明装置８０の品質上大きな問題となる。この明るさのばらつきを低減するために、例えば放光部８７の面積を調整することやＬＥＤ８５を導光板８４の両側に配置することが考えられるが、少なくとも横一列ずつ放光部８７の面積を変える必要があり製造工数が増加したり、ＬＥＤ８５の個数が増加することになる。これらは、いずれも製品のコストアップにつながる。
本発明は上記問題点を解決するために考えられたもので、キー照明に好適な光の均一性に優れ、キー操作時のクリック感を損なわず、しかも薄型、低消費電力、低コストを実現できるキー照明装置を提供することを目的とする。
【課題を解決するための手段】
【０００４】
上記目的を達成するために、本発明の請求項１記載のキー照明装置は、情報入力のための操作キーと、前記操作キーの押圧により動作するスイッチ素子を実装した回路基板と、前記操作キーと前記回路基板との間に配置された導光板と、前記導光板の端部に配置された光源と、を有するキー照明装置において、前記導光板に貫通孔を設けるとともに、前記貫通孔が前記光源の光路方向に少なくとも２個以上のスイッチ素子を収容する連続した長穴形状であることを特徴とする。この構成によれば、導光板側面の不所望の漏れ光を低減でき、光の均一性を向上できる。さらに、操作キーとスイッチ素子との間に介在物がないので、キー操作時のクリック感向上と薄型化を図ることができる。
また、請求項２記載のキー照明装置は、請求項１記載のキー照明装置において、前記貫通孔の側面に前記光源から出た光を前記操作キーへと導光するための光拡散部が設けられていることを特徴とする。この構成によれば、操作キーに対応する位置に光を効率よく導くことができる。
【０００５】
また、請求項３記載のキー照明装置は、請求項２記載のキー照明装置において、前記光拡散部が前記スイッチ素子径の５％〜７０％の大きさを有することを特徴とする。この構成によれば、光拡散部の大きさを最適化したので、操作キーに対応する位置に光をさらに効率よく導くことができる。
【０００６】
また、請求項４記載のキー照明装置は、請求項２及び３記載のキー照明装置において、前記光拡散部が前記光源からの距離に応じて数を変えることを特徴とする。この構成によれば、光の均一性をさらに向上できる。
【０００７】
また、請求項５記載のキー照明装置は、請求項２及び３記載のキー照明装置において、前記光拡散部が前記光源からの距離に応じて大きさを変えることを特徴とする。この構成によっても、光の均一性をさらに向上できる。
【０００８】
また、請求項６記載のキー照明装置は、請求項２及び３記載のキー照明装置において、前記光拡散部が前記光源からの距離に応じて導光板の厚さ方向の深さを変えることを特徴とする。この構成によっても、光の均一性をさらに向上できる。
また、請求項７記載のキー照明装置は、請求項２〜６記載のキー照明装置において、前記光拡散部が、円柱、円錐、多角柱、多角錐の少なくとも一つの側面の一部で構成されていることを特徴とする。この構成によれば、光拡散部の形状を適宜選択することにより、操作キーに対応する位置に光を効率よく導くことができる。
また、請求項８記載のキー照明装置は、請求項２〜７記載のキー照明装置において、前記光拡散部の周囲に、印刷、スクラッチ、凹凸、プリズムの少なくとも一つからなる反射パターンが形成されていることを特徴とする。この構成によれば、光の拡散面積を広げることができる。
【０００９】
また、請求項９記載のキー照明装置は、請求項１〜７記載のキー照明装置において、前記導光板の表裏面及び前記導光板の、光源入射端と光拡散部出射端を除く端部に全反射ミラーが形成されていることを特徴とする。この構成によれば、光源からの光を導光板内で全反射させて光拡散部へ効率よく導くことができる。
【発明の効果】
【００１０】
本発明のキー照明装置は、以上のように構成されているので、複数の操作キーを均一な明るさで照明することができる。また、操作キーとスイッチ素子との間に介在物がないためクリック感を損なうこともなく、厚みスペースの増加もない。また、光源の使用数も減り、低消費電力で安価なキー照明装置を提供することができる。
【発明を実施するための最良の形態】
【００１１】
以下、本発明のキー照明装置の好ましい実施形態を図面を参照して説明する。
図１（ａ）は本発明の第１実施例のキー照明装置の断面図であり、図１（ｂ）は、図１（ａ）から操作キーを除いた状態の平面図である。
図１（ａ）に示すように、第１実施例のキー照明装置１０は、回路基板１に弾性変形可能な金属材料からなるドームスイッチ２が実装され、その上面には文字や図形が印刷された操作キー３が配置されている。また、回路基板１と操作キー３の間には、表裏面が鏡面処理されたアクリル等の透明樹脂基板からなる導光板４が設けられ、その端部には光源となるＬＥＤ５が配置されている。導光板４には貫通孔６が形成されている。この貫通孔６は図１（ｂ）に示すように、ドームスイッチ２を縦一列ごとに収容するように構成されている。さらに、ドームスイッチ２の位置に対応する導光板４の側面部には、ＬＥＤ５から放出された光を操作キー３へと導くための、光拡散部７が形成されている。この光拡散部７は、導光板４を厚さ方向に貫通する円柱形状を有している。
本実施例の特徴の一つは、導光板４に形成される貫通孔６が、ドームスイッチ２を縦一列ごとに収容する連続した長穴形状を有していることである。このため、従来技術で説明した図１１（ｂ）の導光板８４における側面部８４ａと８４ｃがなくなる。この側面部８４ａ、８４ｃはＬＥＤ８５の光路方向に垂直な側面部であり、入射角が臨界角より小さい光の成分が多いため、水平な側面部８４ｂ、８４ｄと比較するとより大きな漏れ光が放出される。従って、本実施例ではＬＥＤ５の光路方向に垂直な側面部をなくすことにより漏れ光を大幅に低減することができ、ＬＥＤ５の光を有効に利用することができる。
【００１２】
さらに、本実施例のもう一つの特徴は、ドームスイッチ２の位置に対応する導光板４の側面に、ＬＥＤ５から放出された光を操作キー３へと導くための光拡散部７が形成されていることである。この光拡散部７の大きさは輝度と大きく関係する。
このことを図面を参照して説明する。図２（ａ）は光拡散部の拡大図、図２（ｂ）は光拡散部の大きさと輝度比との関係を示すグラフであり、図３はシミュレーションにより調べた導光板の輝度分布図である。
図２（ａ）に示す貫通孔６の幅をＤ１、光拡散部７の幅をＤ２とし、貫通孔６の中心部における輝度との関係を調べた。なお、輝度は光拡散部７のＬＥＤ５側に向いた面が主な光拡散面８となって放出される単位面積当たりの光度である。図２（ｂ）はその結果を示すグラフであり、横軸がＤ２／Ｄ１、縦軸が輝度比（測定輝度／最大輝度）である。なお、測定はＤ１＝５ｍｍ（ドームスイッチ径相当）一定、Ｄ２＝０．１ｍｍ〜４ｍｍ（Ｄ２／Ｄ１＝０．０２〜０．８）、光拡散部７の配置範囲＝７．５ｍｍ（ドームスイッチ径の１．５倍、等間隔配置）とした。
同図に示すようにＤ２／Ｄ１が０．０５以上で所望輝度が得られることが分かる。Ｄ２／Ｄ１が０．０５未満になると、光拡散面８が小さくなり輝度比が低下する。加えて、貫通孔６と光拡散部７を同時形成することが困難となり、製造上問題となる。また、Ｄ２／Ｄ１が０．７を超えると輝度比が低下し始める。これは、光拡散面８の数が減少するためであり、輝度ムラが大きくなり品質上問題となる。これにより、所望輝度を得るためのＤ２／Ｄ１の範囲は０．０５〜０．７を選定すればよいことが分かる。
以上の測定結果に基づき、Ｄ１＝５ｍｍ、Ｄ２＝０．５ｍｍ（Ｄ２／Ｄ１＝０．１）とし、そのときの光拡散部７からの光拡散状態を、モンテカルロ法による光解析をもとにシミュレーションした結果を図３に示す。（ａ）はＬＥＤ非点灯時、（ｂ）はＬＥＤ点灯時である。同図より、光拡散部７のある箇所が、その他の箇所と比較して非常に明るく光っているのが分かる。また、場所による明るさの差も見られない。なお、貫通孔６の中心が暗くなっているが、これはシミュレーションが導光板４単体の結果であるためである。実際のキー照明装置１０では光拡散部７から拡散した光が金属材料からなるドームスイッチ２で反射されるので、操作キー３全体を明るく照明することができる。
以上、本発明によれば、導光板４の貫通孔６を縦に連続した長穴形状としたので、漏れ光を少なくできる。また、導光板４の側面に光拡散部７を形成しその大きさを最適化したので、複数の操作キー３を均一に明るく照明することができる。また、ＬＥＤ５の個数が少なくてすみ、消費電力を低減できる。また、ドームスイッチ２を導光板４の貫通孔６に収容したので、良好なクリック感を得ることができる。
さらに、光拡散部７が従来のμｍオーダーの梨地構成とは異なり、０．数ｍｍ〜数ｍｍオーダーのサイズを有するので、インジェクション、打抜きプレス、ＮＣ加工等の方法により貫通孔６と光拡散部７を同時形成することができ、製造コストを大きく低減することができる。
次に、本発明の第２実施例のキー照明装置を図面を参照して説明する。図４（ａ）は、光拡散部の数と輝度比との関係を示すグラフ、図４（ｂ）は、第２実施例のキー照明装置から操作キーを除いた状態の平面図、図４（ｃ）は、図４（ｂ）のＡ〜Ｄ部の拡大図である。
【００１３】
第１実施例でＤ２／Ｄ１は０．０５〜０．７の範囲が好ましいことを説明した。そこで図４（ａ）に示すように、Ｄ１＝５ｍｍ、Ｄ２＝０．５ｍｍ（Ｄ２／Ｄ１＝０．１）としたときの光拡散部の数と輝度比との関係を調べた。同図に示すように、光拡散部の数を増やすほど輝度比が高くなることが分かった。この結果に基づき、図４（ｂ）、（ｃ）に示すように、ＬＥＤ５に近い領域Ａの光拡散部１７ａから遠い領域Ｄの光拡散部１７ｄまで徐々にその数を増やした。
本実施例によれば、ＬＥＤ５からの距離に応じて光拡散部１７ａ〜１７ｄの数を調整するようにしたので、複数の操作キーをより均一に明るく照明することができる。なお、光拡散部１７ａ〜１７ｄの数は図４（ｂ）、（ｃ）に示した例に限定されるものではなく、照明する操作キーの面積、ＬＥＤ５の輝度、導光板１４や貫通孔１６の面積等に合わせて適宜調整することができる。
次に、本発明の第３実施例のキー照明装置を図面を参照して説明する。図５（ａ）は、光拡散部の大きさと輝度比との関係を示すグラフ、図５（ｂ）は、第３実施例のキー照明装置から操作キーを除いた状態の平面図、図５（ｃ）は、図５（ｂ）のＡ〜Ｄ部の拡大図である。
【００１４】
図５（ａ）に示すように、Ｄ１＝５ｍｍ、Ｄ２＝０．２５ｍｍ〜３．５ｍｍ（Ｄ２／Ｄ１＝０．０５〜０．７）、光拡散部の数Ｍ＝１個としたときの光拡散部の大きさと輝度比との関係を調べた。同図に示すように、光拡散部の幅を大きくするほど輝度比が高くなることが分かった。この結果に基づき、図５（ｂ）、（ｃ）に示すように、ＬＥＤ５に近い領域Ａの光拡散部２７ａから遠い領域Ｄの光拡散部２７ｄまで徐々にその幅を大きくした。
本実施例によれば、ＬＥＤ５からの距離に応じて光拡散部２７ａ〜２７ｄの大きさを調整するようにしたので、複数の操作キーをより均一に明るく照明することができる。なお、光拡散部２７ａ〜２７ｄの大きさは図５（ｂ）、（ｃ）に示した例に限定されるものではなく、照明する操作キーの面積、ＬＥＤ５の輝度、導光板２４や貫通孔２６面積等に合わせて適宜調整することができる。
次に、本発明の第４実施例のキー照明装置を図面を参照して説明する。図６（ａ）は、光拡散部の深さと輝度比との関係を示すグラフ、図６（ｂ）は、第４実施例のキー照明装置から操作キーを除いた状態の平面図、図６（ｃ）は、図６（ｂ）のＡ〜Ｄ部の拡大図である。
【００１５】
図６（ａ）に示すように、Ｄ１＝５ｍｍ、Ｄ２＝０．５ｍｍ（Ｄ２／Ｄ１＝０．１）、Ｍ＝３個としたときの光拡散部の深さと輝度比との関係を調べた。同図に示すように、光拡散部の深さを深くするほど輝度比が高くなることが分かった。この結果に基づき、図６（ｂ）、（ｃ）に示すように、ＬＥＤ５に近い領域Ａの光拡散部３７ａから遠い領域Ｄの光拡散部３７ｄまで徐々にその深さを深くした。
本実施例によれば、ＬＥＤ５からの距離に応じて光拡散部３７ａ〜３７ｄの深さを調整するようにしたので、複数の操作キーをより均一に明るく照明することができる。なお、光拡散部３７ａ〜３７ｄの深さは図６（ｂ）、（ｃ）に示した例に限定されるものではなく、照明する操作キーの面積、ＬＥＤ５の輝度、導光板３４や貫通孔３６面積等に合わせて適宜調整することができる。
以上、上述した各実施例では光拡散部７、１７ａ〜１７ｄ、２７ａ〜２７ｄ、３７ａ〜３７ｄの形状を、導光板４、１４、２４、３４を厚さ方向に貫通する円柱状としたが、これに限定されるものではなく、例えば図７に示すように、（ａ）円柱４７ａのほか、（ｂ）円錐４７ｂ、（ｃ）三角柱４７ｃ、（ｄ）四角柱４７ｄのいずれの形状でもよい。また、三角錐、四角錐などの形状でも光を効率よく拡散することができる。
なお、本発明のキー照明装置は、光拡散部だけでも所望輝度を得ることができるが、補助的に反射パターンを設けるようにしてもよい。例えば図８に示すように、光拡散部７を囲む底面部に、（ａ）白色顔料のドット印刷による反射パターン５８ａ、（ｂ）サンドブラスト処理による反射パターン５８ｂ、（ｃ）エッチング処理による反射パターン５８ｃ、（ｄ）プリズムによる反射パターン５８ｄなどを形成することができる。これらの反射パターン５８ａ〜５８ｄは光を上方へ導く作用を有するので、操作キー全体をより広く均一に照明することができる。
また、導光板４、１４、２４、３４の表裏面及びＬＥＤ５入射端と光拡散部７、１７ａ〜１７ｄ、２７ａ〜２７ｄ、３７ａ〜３７ｄ出射端を除く端部に、全反射ミラー（図示せず）を設けるようにしてもよい。この全反射ミラーには、スパッタ法や蒸着法によるアルミ、銀、クロム等の薄膜または印刷法による白色顔料などを使用することができる。この全反射ミラーは光を全反射させる作用を有するので、ＬＥＤ５からの光を光拡散部７、１７ａ〜１７ｄ、２７ａ〜２７ｄ、３７ａ〜３７ｄへ効率よく導くことができる。
【産業上の利用可能性】
【００１６】
本発明は、操作キーを照明する光源を備えた携帯電話機、ＰＤＡ等の携帯端末への適用が可能である。
【図面の簡単な説明】
【００１７】
【図１】本発明の第１実施例のキー照明装置の断面図及び操作キーを除いた状態の平面図
【図２】本発明の光拡散部の拡大図及び光拡散部の大きさと輝度比との関係を示すグラフ
【図３】シミュレーションにより調べた導光板の輝度分布図
【図４】光拡散部の数と輝度比との関係を示すグラフ、本発明の第２実施例のキー照明装置から操作キーを除いた状態の平面図及びＡ〜Ｄ部の拡大図
【図５】光拡散部の大きさと輝度比との関係を示すグラフ、本発明の第３実施例のキー照明装置から操作キーを除いた状態の平面図及びＡ〜Ｄ部の拡大図
【図６】光拡散部の深さと輝度比との関係を示すグラフ、本発明の第４実施例のキー照明装置から操作キーを除いた状態の平面図及びＡ〜Ｄ部の拡大図
【図７】光拡散部の形状を示す断面斜視図
【図８】光拡散部の底面部に設けた反射パターンを示す断面図
【図９】従来のＬＥＤ多点配置方式によるキー照明装置の断面図
【図１０】従来のＬＥＤ端部配置方式によるキー照明装置の断面図
【図１１】他の従来のＬＥＤ端部配置方式によるキー照明装置の断面図及び操作キーを除いた状態の平面図
【符号の説明】
【００１８】
１  回路基板
２  ドームスイッチ
３  操作キー
４  導光板
５  ＬＥＤ
６  貫通孔
７  光拡散部
８  光拡散面
１０  本発明の第１実施例のキー照明装置
１４  導光板
１６  貫通孔
１７ａ〜１７ｄ  光拡散部
２０  本発明の第２実施例のキー照明装置
２４  導光板
２６  貫通孔
２７ａ〜２７ｄ  光拡散部
３０  本発明の第３実施例のキー照明装置
３４  導光板
３６  貫通孔
３７ａ〜３７ｄ  光拡散部
４０  本発明の第４実施例のキー照明装置
４４ａ〜４４ｄ  導光板
４７ａ〜４７ｄ  光拡散部
５８ａ〜５８ｄ  反射パターン
６０  従来のＬＥＤ多点配置方式によるキー照明装置
６１  回路基板
６２  ドームスイッチ
６３  シリコンラバー
６３ａ  突起
６４  操作キー
６５  ＬＥＤ
７０  従来のＬＥＤ端部配置方式によるキー照明装置
７１  回路基板
７２  ドームスイッチ
７３  操作キー
７４  導光板
７４ａ  ホログラム層
７５  ＬＥＤ
８０  他の従来のＬＥＤ端部配置方式によるキー照明装置
８１  回路基板
８２  ドームスイッチ
８３、８３ａ、８３ｂ  操作キー
８４  導光板
８４ａ〜８４ｄ  側面部
８５  ＬＥＤ
８６  空洞部
８７  放光部
【図１】
2008235137.tif 000003
【図２】
2008235137.tif 000004
【図４】
2008235137.tif 000005
【図５】
2008235137.tif 000006
【図６】
2008235137.tif 000007
【図７】
2008235137.tif 000008
【図８】
2008235137.tif 000009
【図９】
2008235137.tif 000010
【図１０】
2008235137.tif 000011
【図１１】
2008235137.tif 000012
【図３】
2008235137.tif 000013